【手続補正書】
【提出日】平成15年10月7日(2003.10.7)
【手続補正１】
【補正対象書類名】明細書
【補正対象項目名】請求項１
【補正方法】変更
【補正の内容】
【請求項１】
一般式［Ｉ］
【化１】
1998120512.tif 000001
｛式中、Ａは次式
【化２】
1998120512.tif 000002
［式中、Ａ１はハロゲン原子、ニトロ基、シアノ基、アルキル基、ハロアルキル基、アリール基、アルケニル基、アルキニル基、シクロアルキル基、基−ＷＲ１（但し、Ｗは酸素原子又は硫黄原子を表し、Ｒ１は基−Ｒ５、基−ＣＯＲ５又は基−Ｓ（Ｏ）ｍＲ５を表し、Ｒ５は水素原子、アルキル基、ハロアルキル基、ベンジル基、アリール基、アルケニル基、アルキニル基又はシクロアルキル基を表し、ｍは１又は２の整数を表す。）、基−ＣＯＲ２（但し、Ｒ２は基−Ｒ５、基−ＷＲ５（但し、Ｒ５は前記と同じ意味を表す。）又は基−ＮＲ３Ｒ４（但し、Ｒ３及びＲ４はそれぞれ互いに独立又は同時に基−Ｒ５、基−ＣＯＲ５又は基−Ｓ（Ｏ）ｍＲ５（但し、Ｒ５及びｍは前記と同じ意味を表す。）を表す。）を表す。）、基−Ｓ（Ｏ）ｍＲ２（但し、Ｒ２及びｍは前記と同じ意味を表す。）又は基−ＮＲ３Ｒ４（但し、Ｒ３及びＲ４は前記と同じ意味を表す。）を表し、Ａ２は水素原子又はＡ１を表すか、あるいはＡ２とＡ１が隣り合い、結合している２個の環原子と共に、置換されていてもよい５員もしくは６員の環を形成する。）を表す。］を表し、Ｂは置換されていてもよいベンゼン環、置換されていてもよい５員もしくは６員のヘテロ環あるいは置換されていてもよいホモもしくはヘテロ縮合環を表し、Ｑは次式
【化３】
1998120512.tif 000003
（式中、Ｘは同一又は相異なる水素原子、ハロゲン原子、ニトロ基、シアノ基、アルキル基、ハロアルキル基、アルコキシ基、アシル基、カルボキシル基、アルコキシカルボニル基もしくは（アルキルチオ）カルボニル基を表し、ｎは０から４の整数を表し、Ｙは酸素原子、硫黄原子又は基−Ｎ（Ｒ）−を表し、Ｒは水素原子又はアルキル基を表す。）を表し、Ｚは窒素原子又は基−ＣＨ−を表す。｝で示される含窒素ヘテロ芳香族環誘導体。
【手続補正２】
【補正対象書類名】明細書
【補正対象項目名】０００６
【補正方法】変更
【補正の内容】
【０００６】
【化７】
1998120512.tif 000004
［式中、Ａ１はハロゲン原子、ニトロ基、シアノ基、アルキル基、ハロアルキル基、アリール基、アルケニル基、アルキニル基、シクロアルキル基、基−ＷＲ１（但し、Ｗは酸素原子又は硫黄原子を表し、Ｒ１は基−Ｒ５、基−ＣＯＲ５又は基−Ｓ（Ｏ）ｍＲ５を表し、Ｒ５は水素原子、アルキル基、ハロアルキル基、ベンジル基、アリール基、アルケニル基、アルキニル基又はシクロアルキル基を表し、ｍは１又は２の整数を表す。）、基−ＣＯＲ２（但し、Ｒ２は基−Ｒ５、基−ＷＲ５（但し、Ｒ５は前記と同じ意味を表す。）又は基−ＮＲ３Ｒ４（但し、Ｒ３及びＲ４はそれぞれ互いに独立又は同時に基−Ｒ５、基−ＣＯＲ５又は基−Ｓ（Ｏ）ｍＲ５（但し、Ｒ５及びｍは前記と同じ意味を表す。）を表す。）を表す。）、基−Ｓ（Ｏ）ｍＲ２（但し、Ｒ２及びｍは前記と同じ意味を表す。）又は基−ＮＲ３Ｒ４（但し、Ｒ３及びＲ４は前記と同じ意味を表す。）を表し、Ａ２は水素原子又はＡ１を表すか、あるいはＡ２とＡ１が隣り合い、結合している２個の環原子と共に、置換されていてもよい５員もしくは６員の環を形成する。）を表す。］を表し、Ｂは置換されていてもよいベンゼン環、置換されていてもよい５員もしくは６員のヘテロ環あるいは置換されていてもよいホモもしくはヘテロ縮合環を表し、Ｑは次式


【手続補正３】
【補正対象書類名】明細書
【補正対象項目名】０００７
【補正方法】変更
【補正の内容】
【０００７】
【化８】
1998120512.tif 000005
（式中、Ｘは同一又は相異なる水素原子、ハロゲン原子、ニトロ基、シアノ基、アルキル基、ハロアルキル基、アルコキシ基、アシル基、カルボキシル基、アルコキシカルボニル基もしくは（アルキルチオ）カルボニル基を表し、ｎは０から４の整数を表し、Ｙは酸素原子、硫黄原子又は基−Ｎ（Ｒ）−を表し、Ｒは水素原子又はアルキル基を表す。）を表し、Ｚは窒素原子又は基−ＣＨ−を表す。｝で示される含窒素ヘテロ芳香族環誘導体及びこれを有効成分として含有する除草剤を提供するものである。


【手続補正４】
【補正対象書類名】明細書
【補正対象項目名】０００８
【補正方法】変更
【補正の内容】
【０００８】
尚、本明細書において、Ａにおいて「Ａ２とＡ１が隣り合い結合している２個の環原子と共に、置換されていてもよい５員もしくは６員の環を形成する。」とは、Ａが、置換されていてもよいナフタレン環、置換されていてもよいベンゾフラン環、置換されていてもよいベンゾチオフェン環、置換されていてもよいインドール環、置換されていてもよいベンゾオキサゾール環、置換されていてもよいベンゾチアゾール環、置換されていてもよいインダゾール環、置換されていてもよい１，３−ベンゾジオキソール環又は置換されていてもよいキノリン環等であることを表す。


【手続補正５】
【補正対象書類名】明細書
【補正対象項目名】０００９
【補正方法】変更
【補正の内容】
【０００９】
Ｂにおいて「置換されていてもよい５員もしくは６員のヘテロ環あるいは置換されていてもよいホモもしくはヘテロ縮合環」とは、Ｂが、置換されていてもよいフラン環、置換されていてもよいチオフェン環、置換されていてもよいピロール環、置換されていてもよいオキサゾール環、置換されていてもよいイソオキサゾール環、置換されていてもよいチアゾール環、置換されていてもよいイソチアゾール環、置換されていてもよいピラゾール環、置換されていてもよいイミダゾール環、置換されていてもよいトリアゾール環、置換されていてもよいピリジン環、置換されていてもよいピリダジン環、置換されていてもよいピリミジン環、置換されていてもよいトリアジン環、置換されていてもよいナフタレン環、置換されていてもよいベンゾフラン環、置換されていてもよいベンゾチオフェン環、置換されていてもよいインドール環、置換されていてもよいベンゾチアゾール環、置換されていてもよい１，３−ベンゾジオキソール環又は置換されていてもよいキノリン環等であることを表す。


【手続補正６】
【補正対象書類名】明細書
【補正対象項目名】００１２
【補正方法】変更
【補正の内容】
【００１２】
アルコキシ基、アルキルチオ基、アルコキシカルボニル基、（アルキルチオ）カルボニル基、アシル基及びアルキルスルホニル基とは、それぞれアルキル部分が上記の意味を示すアルキルオキシ基、アルキルチオ基、アルキルオキシカルボニル基、（アルキルチオ）カルボニル基、アルキルカルボニル基及びアルキルスルホニル基である。


【手続補正７】
【補正対象書類名】明細書
【補正対象項目名】００１４
【補正方法】変更
【補正の内容】
【００１４】
ハロアルキル基とは、同一又は相異なるハロゲン原子が一個以上結合した、炭素数が１〜４の直鎖又は分岐鎖状のアルキル基を示し、例えばクロロメチル基、トリフルオロメチル基、クロロエチル基等を挙げることができる。アリール基とは、フェニル基又はナフチル基を示す。


【手続補正８】
【補正対象書類名】明細書
【補正対象項目名】００１９
【補正方法】変更
【補正の内容】
【００１９】
【発明の実施の形態】次に、本発明化合物の具体例を表１〜表１０に記載する。しかしながら、本発明化合物はこれらの化合物に限定されるものではない。なお、化合物番号は以後の記載において参照される。


【手続補正９】
【補正対象書類名】明細書
【補正対象項目名】００３５
【補正方法】変更
【補正の内容】
【００３５】
反応温度は、−７８℃から３０℃の範囲、好ましくは−７８℃〜０℃の範囲において行われる。反応時間は１〜１２時間が好ましい。


【手続補正１０】
【補正対象書類名】明細書
【補正対象項目名】００６７
【補正方法】変更
【補正の内容】
【００６７】
〈製剤例５〉  粒剤
化合物（５１）の１０部、タルクとベントナイトを１：３の割合で混合した増量剤の８０部、ホワイトカーボンの５部、界面活性剤ポリオキシエチレンソルビタンアルキレート、ポリオキシエチレンアルキルアリールポリマー及びアルキルアリールスルホネートの混合物の５部に水１０部を加え、よく練ってペースト状としたものを直径０．７ｍｍのふるい穴から押し出して乾燥した後に０．５〜１ｍｍの長さに切断し、粒剤を得る。